(57)【特許請求の範囲】
【請求項１】
光信号を受信して電気信号に変換する光受信機であって、
前記光信号を前記電気信号に変換するフォトダイオードと、
前記フォトダイオードから出力された電気信号の利得を自動調整する自動利得調整手段とを備え、
前記自動利得調整手段は、
前記フォトダイオードから出力された電気信号の利得を手動調整するための可変抵抗と、
前記自動利得調整手段による自動利得調整機能の有無を選択的に切り替える切り替え手段とを備え、
前記切り替え手段を第１側に切り替えた状態においては、前記自動利得調整手段に対する制御信号の入力を受け付けることにより、前記フォトダイオードから出力された電気信号の利得を自動調整することを可能とし、
前記切り替え手段を前記第１側とは異なる第２側に切り替えた状態においては、前記自動利得調整手段に対する制御信号の入力に代えて、電源入力を前記可変抵抗を介して受け付けることにより、前記フォトダイオードから出力された電気信号の利得を手動調整することを可能とする、
光受信機。
【請求項２】
前記光信号のレベル又は前記電気信号のレベルを所定の閾値と比較し、当該比較結果に応じて、前記自動利得調整機能の有無を切り替える切り替え制御手段を備えた、
請求項１に記載の光受信機。
【発明の詳細な説明】
【技術分野】
【０００１】
本発明は、光信号を受信して電気信号に変換する光受信機に関する。
【背景技術】
【０００２】
近年では、光通信技術の進展に伴い、光ケーブルを用いた光伝送システムが普及している。この光伝送システムによれば、数１０Ｋｍ程度の無中継伝送が可能となるため、伝送システムを容易に広域化できる。この光伝送システムは、概略的には、送信者側に配置した光送信機と、受信者側に配置した光受信機（光回線終端装置：ＯＮＵ：Ｏｐｔｉｃａｌ  Ｎｅｔｗｏｒｋ  Ｕｎｉｔ）とを、光ケーブルにて構成された長距離用の光伝送路を介して接続して構成されている。
【０００３】
そして、送信者側においてＴＶ信号や告知放送信号を混合し、この混合された電気信号を光送信機によって光信号に変換し、この光信号を光伝送路を介して光受信機に送信する。この光受信機は、光信号をＰＤ（Ｐｈｏｔｏ  Ｄｉｏｄｅ）を介して電気信号（ＲＦ信号）に変換し、増幅器にて一定の増幅を行った上で、ＴＶ受像機に出力する。
【０００４】
このような光受信機においては、光信号のレベルが増大することに伴って歪性能が悪化することを防止するため、増幅器の利得を調整するための機能が設けられている。具体的には、局舎等に設置されるヘッドエンド用の光受信機においては、ユーザに利得調整の専門知識があるものと予想されるため、増幅器の利得を手動で調整することが可能となっている。また、一般家庭に設置される光受信機においては、ユーザに利得調整の専門知識がないものと予想されるため、ＡＧＣ（ＡＵＴＯ  ＧＡＩＮ  ＣＯＮＴＲＡＯＬ）回路が設けられて自動利得調整が行われている（例えば特許文献１参照）。
【先行技術文献】
【特許文献】
【０００５】
【特許文献１】特開２００９−１１１４４５号公報
【発明の概要】
【発明が解決しようとする課題】
【０００６】
しかしながら、このようにＡＧＣ回路が設けられている光受信機においては、ＡＧＣ回路が単に常時ＯＮに維持されているので、利得調整の専門知識を持っているユーザがこのような光受信機を使用する場合があったとしても、増幅器の利得を手動で調整することができないため、手動調整の方が自動調整よりも利得を最適化できる場合であっても、このような最適運用を行うことができなかった。また、このように、異なるユーザに向けて仕様が異なる光受信機を製造や設置する必要があったので、光受信機の設計コスト等を増大させる一因となっていた。
【０００７】
本発明は、上記に鑑みてなされたものであって、ユーザの利得調整の知識の有無に関わらず、利得を最適化することができる、光受信機を提供することを目的とする。
【課題を解決するための手段】
【０００８】
上述した課題を解決し、目的を達成するために、請求項１に記載の光受信機は、光信号を受信して電気信号に変換する光受信機であって、前記光信号を前記電気信号に変換するフォトダイオードと、前記フォトダイオードから出力された電気信号の利得を自動調整する自動利得調整手段とを備え、前記自動利得調整手段は、前記フォトダイオードから出力された電気信号の利得を手動調整するための可変抵抗と、前記自動利得調整手段による自動利得調整機能の有無を選択的に切り替える切り替え手段とを備え、前記切り替え手段を第１側に切り替えた状態においては、前記自動利得調整手段に対する制御信号の入力を受け付けることにより、前記フォトダイオードから出力された電気信号の利得を自動調整することを可能とし、前記切り替え手段を前記第１側とは異なる第２側に切り替えた状態においては、前記自動利得調整手段に対する制御信号の入力に代えて、電源入力を前記可変抵抗を介して受け付けることにより、前記フォトダイオードから出力された電気信号の利得を手動調整することを可能としたものである。
【００１２】
請求項２に記載の光受信機は、請求項１に記載の光受信機において、前記光信号のレベル又は前記電気信号のレベルを所定の閾値と比較し、当該比較結果に応じて、前記自動利得調整機能の有無を切り替える切り替え制御手段を備えたものである。
【発明の効果】
【００１３】
請求項１に記載の光受信機によれば、自動利得調整手段の自動利得調整機能の有無を選択的に切り替えることができる。このため、光受信機を利得調整の専門知識を持っているユーザが使用する場合には、自動利得調整機能をＯＦＦに切り替えた上で利得調整を手動で行うことで、利得調整を最適化することができる。また、光受信機を利得調整の専門知識を持っていないユーザが使用する場合には、自動利得調整機能をＯＮに切り替えて自動利得調整を行うことができる。また、例えば、通常は、自動利得調整機能をＯＮに切り替えた状態で光受信機を設置することで、光受信機の設置時における利得調整の工数を低減し、利得調整を最適化する必要が生じた場合（例えば、光受信機の設置後に、自動利得調整では歪性能を得られないことが判明した場合）にのみ、自動利得調整機能をＯＦＦに切り替えて手動で利得調整を最適化することが可能となる。さらに、これら異なるユーザに向けて同一の仕様の光受信機を提供できるので、光受信機の設計コスト等を低減することが可能となる。
また、自動利得調整機能を無しにすることが選択された場合に、電気信号の利得を手動調整可能とするので、光受信機を利得調整の専門知識を持っているユーザが使用する場合には、利得調整を手動で行うことで、利得調整を最適化することができる。
【００１７】
請求項２に記載の光受信機によれば、光信号のレベル又は電気信号のレベルを所定の閾値と比較し、当該比較結果に応じて、自動利得調整機能の有無を切り替えるので、利得調整機能を、環境に応じた最適な形態に自動的に変更することが可能となる。
【図面の簡単な説明】
【００１８】
【図１】本発明の実施の形態１に係る光受信機のブロック図である。
【図２】図１のＡＧＣ回路の回路図である。
【図３】実施の形態２に係るＡＧＣ回路の回路図である。
【図４】実施の形態３に係るＡＧＣ回路の回路図である。
【図５】変形例に係る光受信機のブロック図である。
【図６】他の変形例に係る光受信機のブロック図である。
【図７】他の変形例に係る光受信機のブロック図である。
【発明を実施するための形態】
【００１９】
以下に添付図面を参照して、この発明に係る光受信機の各実施の形態を詳細に説明する。ただし、これらの実施の形態によって本発明が限定されるものではない。
【００２０】
〔実施の形態１〕
最初に、本発明の実施の形態１について説明する。この形態は、ＡＧＣ回路を選択的に手動で切り替え可能とした形態であって、ＡＧＣ回路をＯＦＦとすることが選択された場合に、電気信号を利得調整を行うことなく通過させる形態である。
【００２１】
図１は本実施の形態１に係る光受信機のブロック図である。この光受信機１は、ＰＤ２、アンプ３、ＡＧＣ回路４、アンプ５、ＧＣ（Ｇａｉｎ  Ｃｏｎｔｒｏｌ）６、アンプ７、出力端子８、操作部９、及び制御部１０を、図示のように線路を介して接続して構成されている。
【００２２】
ＰＤ２は、図示しない光伝送路を介して伝送された光信号を受信し、この光信号を電気信号（以下、ＲＦ信号）に光電変換する光電変換手段である。アンプ３は、ＰＤ２にて変換されたＲＦ信号を増幅する増幅手段である。ＡＧＣ回路４は、アンプ３にて増幅されたＲＦ信号の自動利得調整を行う自動利得調整手段である。アンプ５は、ＡＧＣ回路４にて利得調整されたＲＦ信号を増幅する増幅手段である。ＧＣ６は、アンプ５にて増幅されたＲＦ信号を固定利得で利得調整する固定利得調整手段である。アンプ７は、ＧＣ６にて利得調整されたＲＦ信号を増幅する増幅手段である。出力端子８は、アンプ７にて増幅されたＲＦ信号を出力する出力手段である。
【００２３】
操作部９は、ＡＧＣ回路４の自動利得調整機能の有無を選択的に切り替えるための切り替え操作を行う操作手段である。この操作部９の具体的な構成は任意であるが、例えば、図示しない液晶ディスプレイ等の表示手段及び複数の操作ボタンを含んで構成されており、ユーザは、液晶ディスプレイに表示される各種のステータスやメニューを見ながら、これら複数の操作ボタンの中の所定の操作ボタンを操作することで、ＡＧＣ回路４の自動利得調整機能の有無の切り替え操作を行うことができる。
【００２４】
制御部１０は、光受信機１の各部を制御する制御手段であり、特に、操作部９からの出力に基づいてＡＧＣ回路４の自動利得調整機能の有無を選択的に切り替えるための切り替え制御をおこなう切り替え制御手段である。制御部１０の具体的な構成は任意であるが、例えば、図示しないＣＰＵ（Ｃｅｎｔｒａｌ  Ｐｒｏｃｅｓｓｉｎｇ  Ｕｎｉｔ）及び不揮発性記憶手段を備えて構成されており、不揮発性記憶手段に記憶された制御プログラムをＣＰＵで解釈及び実行することで、上記の切り替え制御を含む各種の制御を行う。
【００２５】
図２は、図１のＡＧＣ回路４の回路図である。この図２に示すように、ＡＧＣ回路４は、概略的には、前段側のアンプ３からＲＦ信号が入力される入力端子１１と、後段側のアンプ５にＲＦ信号を出力する出力端子１２と、オペアンプＯＰ１及びトランジスタＴｒ１（電源供給調整部に相当）を備えて構成されている。
【００２６】
ペアンプＯＰ１の反転端子には、帰還回路１３を介して帰還信号が入力される。この帰還回路１３には、フィードバック抵抗である抵抗Ｒ１と、ダイオードＤ１、Ｄ２が直接接続されている。これらダイオードＤ１、Ｄ２は、トランジスタＴｒ１及びＰＩＮダイオードＤ３の少なくとも一方の順方向電圧降下の温度特性変化を補償する温度補償用ダイオードである。例えば、ダイオードＤ１は、トランジスタＴｒ１と等しい順方向電圧降下の温度特性を有し、ダイオードＤ２は、ＰＩＮダイオードＤ３と等しい順方向電圧降下の温度特性を有する。これらダイオードＤ１、Ｄ２にはコンデンサＣ１が並列接続されている。このコンデンサＣ１は、制御信号Ｖｏｐとしてパルス信号を用いた場合のローパスフィルタとして機能するものであり、制御信号Ｖｏｐにパルス信号を用いない場合には省略することができる。また、ダイオードＤ１、Ｄ２には抵抗Ｒ２が直列接続されており、この抵抗Ｒ２は接地点Ｇ１に接地されている。
【００２７】
トランジスタＴｒ１のベース端子にはオペアンプＯＰ１の出力が入力され、コレクタ端子には電源Ｖｃが入力され、エミッタ端子にはコイル（インダクタ）Ｌ３を介して入力端子１１から出力端子１２に至る線路１４が接続されている。この線路１４には、直流阻止用のコンデンサＣ２、Ｃ３、ＰＩＮダイオードＤ３、直流阻止用のコンデンサＣ４が順次直列接続されている。コンデンサＣ２、Ｃ３の間には、電源Ｖｃが抵抗Ｒ３及びコイルＬ１を介して入力される。また、これらコンデンサＣ２、Ｃ３の間には、ＰＩＮダイオードＤ４及びコンデンサＣ５が直列接続されており、このコンデンサＣ５は接地点Ｇ２に接地されている。ＰＩＮダイオードＤ３とコンデンサＣ４の間には、ＰＩＮダイオードＤ５とコンデンサＣ６が直列接続されており、このコンデンサＣ６は接地点Ｇ３に接地されている。また、ＰＩＮダイオードＤ３とコンデンサＣ４の間には、コイルＬ２と抵抗Ｒ４が直列接続されており、この抵抗Ｒ４は接地点Ｇ４に接地されている。また、ＰＩＮダイオードＤ４のカソード側とＰＩＮダイオードＤ５のアノード側とは、相互に接続されている。
【００２８】
ここで、オペアンプＯＰ１の非反転入力端子には、スイッチ１５が接続されている。このスイッチ１５は、ＡＧＣ回路４におけるＲＦ信号のレベルの自動利得調整機能の有無を選択的に切り替え可能とする切り替え手段である。このスイッチ１５は、制御部１０の制御により駆動されるもので、オペアンプＯＰ１の非反転入力端子を、制御信号Ｖｏｐと電源Ｖｃのいずれかに選択的に接続する。
【００２９】
このように構成されたＡＧＣ回路４において、ユーザがＡＧＣ回路４をＯＮ状態にするために操作部９を操作した場合には、制御部１０によってスイッチ１５が制御信号Ｖｏｐ側（図２に示した側）に切り替えられ、この制御信号Ｖｏｐに基づいてＡＧＣ回路４におけるＲＦ信号のレベルの自動調整が行われる。従って、従来のＡＧＣ回路を備えた光受信機と同様に、図１のアンプ３にて増幅されたＲＦ信号がＡＧＣ回路４にて自動利得調整されてアンプ５に出力される。
【００３０】
一方、ユーザがＡＧＣ回路４をＯＦＦ状態にするために操作部９を操作した場合には、制御部１０によってスイッチ１５が電源Ｖｃ側（図２に示したものと反対側）に切り替えられ、オペアンプＯＰ１への制御信号Ｖｏｐの入力が行われなくなることから、ＡＧＣ回路４におけるＲＦ信号のレベルの自動利得調整機能が解除され、入力端子１１に入力されたＲＦ信号がそのまま（利得調整を行われることなく）出力端子１２から出力される。
【００３１】
なお、制御部１０は、ユーザによる操作部９の操作以外に基づいて、スイッチ１５を制御してもよい。例えば、ＰＤ２からアンプ３に至る光信号のレベルを取得し、あるいは、アンプ３から出力端子８に至る間のＲＦ信号のレベルを取得して、これら取得した光信号のレベル又はＲＦ信号のレベルを所定の閾値と比較し、当該比較結果に応じてスイッチ１５を制御することで、ＡＧＣ回路４における自動利得調整機能の有無を切り替えるようにしてもよい。この場合、閾値としては、例えば、歪性能が所望の性能以下となる光信号のレベル又はＲＦ信号のレベルを計算や実験で求め、当該レベルを設定することができる。また、制御部１０は、光信号のレベルやＲＦ信号のレベル以外にも、例えばＲＦ信号の歪レベルを所定の閾値と比較し、当該比較結果に応じてスイッチ１５を制御することで、ＡＧＣ回路４における自動利得調整機能の有無を切り替えるようにしてもよい。
【００３２】
あるいは、制御部１０は、光受信機１の外部からの通信制御に基づいて、スイッチ１５を制御してもよい。例えば、光受信機１にＬＡＮ（ＬＯＣＡＬ  ＡＲＥＡ  ＮＥＴＷＯＲＫ）端子が実装されている場合において、ＬＡＮ経由で外部から通信コマンドが送信された場合に、制御部１０は、この通信コマンドを解釈し、当該通信コマンドがＡＧＣ回路４の自動利得調整機能の切り替えを指示するコマンドである場合には、当該指示内容に基づいてスイッチ１５を制御する。あるいは、光信号に通信コマンドが重畳して送信される場合には、制御部１０は、光信号をＰＤ２で光電変換して取得されたＲＦ信号を取得し、このＲＦ信号に含まれる通信コマンドを解釈し、当該通信コマンドがＡＧＣ回路４の自動利得調整機能の切り替えを指示するコマンドである場合には、当該指示内容に基づいてスイッチ１５を制御する。
【００３３】
（実施の形態１の効果）
これまで説明したように実施の形態１によれば、ＡＧＣ回路４の自動利得調整機能の有無を選択的に切り替えることができる。このため、光受信機を利得調整の専門知識を持っているユーザが使用する場合には、自動利得調整機能をＯＦＦに切り替えた上で利得調整を手動で行うことで、利得調整を最適化することができる。また、光受信機を利得調整の専門知識を持っていないユーザが使用する場合には、自動利得調整機能をＯＮに切り替えて自動利得調整を行うことができる。また、例えば、通常は、自動利得調整機能をＯＮに切り替えた状態で光受信機１を設置することで、光受信機１の設置時における利得調整の工数を低減し、利得調整を最適化する必要が生じた場合（例えば、光受信機１の設置後に、自動利得調整では歪性能を得られないことが判明した場合）にのみ、自動利得調整機能をＯＦＦに切り替えて手動で利得調整を最適化することが可能となる。さらに、これら異なるユーザに向けて同一の仕様の光受信機１を提供できるので、光受信機１の設計コスト等を低減することが可能となる。
【００３４】
また、実施の形態１によれば、自動利得調整機能を無しにすることが選択された場合に、ＲＦ信号を利得調整することなく通過させるので、例えば、光入力レベルが比較的小さい環境下においては（例えば、光入力レベルが約−８ｄＢから約−４ｄＢ程度の環境下においては）、自動利得調整手段が設けられていない光受信機１と実質的に同じ状態として、利得調整の最適化を図ることができる。
【００３５】
また、実施の形態１によれば、光信号のレベル又はＲＦ信号のレベルを所定の閾値と比較し、当該比較結果に応じて、自動利得調整機能の有無を切り替えるので、利得調整機能を、環境に応じた最適な形態に自動的に変更することが可能となる。
【００３６】
〔実施の形態２〕
次に、本発明の実施の形態２について説明する。この形態は、ＡＧＣ回路を選択的に手動で切り替え可能とした形態であって、ＡＧＣ回路をＯＦＦとすることが選択された場合に、ＲＦ信号を所定の固定利得で調整する形態である。ただし、特に説明なき構成及び処理については、実施の形態１の構成及び処理と同じであるものとし、実施の形態１と同じ構成及び処理については、実施の形態１で使用したものと同じ符号を付することでその説明を省略する（後述する実施の形態３と変形例に関しても同様）。
【００３７】
図３は本実施の形態２に係るＡＧＣ回路の回路図である。このＡＧＣ回路２０は、実施の形態１のＡＧＣ回路４とほぼ同様に構成されているが、電源Ｖｃに抵抗Ｒ５、Ｒ６が接続されており、これら抵抗Ｒ５、Ｒ６の相互間にスイッチ１５が接続可能とされている点で異なる。
【００３８】
このような構成において、ユーザがＡＧＣ回路２０をＯＦＦ状態にするために操作部９を操作した場合には、制御部１０によってスイッチ１５が電源Ｖｃ側（図３に示すものと反対側）に切り替えられ、オペアンプＯＰ１への制御信号Ｖｏｐの入力が行われなくなることから、ＡＧＣ回路２０におけるＲＦ信号のレベルの自動利得調整機能が解除される。ここで、入力端子１１に入力されたＲＦ信号は、抵抗における抵抗値の比率によって決定される固定利得で調整され、出力端子１２に出力される。
【００３９】
（実施の形態２の効果）
これまで説明したように実施の形態２によれば、自動利得調整機能を無しにすることが選択された場合に、ＲＦ信号を所定の固定利得で調整するので、例えば、光入力レベルが比較的大きい環境下においては（例えば、光入力レベルが約−６ｄＢから約−２ｄＢ程度の環境下においては）、ＡＧＣ回路２０の後段側のアンプに入力される信号レベルをＡＧＣ回路２０において低減させることで、歪性能が低下することを防止できる。
【００４０】
〔実施の形態３〕
次に、本発明の実施の形態３について説明する。この形態は、ＡＧＣ回路を選択的に手動で切り替え可能とした形態であって、ＡＧＣ回路をＯＦＦとすることが選択された場合に、ＲＦ信号の利得を手動調整可能とする形態である。
【００４１】
図４は本実施の形態３に係るＡＧＣ回路の回路図である。このＡＧＣ回路３０は、実施の形態２のＡＧＣ回路２０とほぼ同様に構成されているが、電源Ｖｃに接続された抵抗Ｒ５、Ｒ６の相互間に可変抵抗Ｒ７が接続されており、この可変抵抗Ｒ７にスイッチ１５が接続可能とされている点で異なる。
【００４２】
このような構成において、ユーザがＡＧＣ回路３０をＯＦＦ状態にするために操作部９を操作した場合には、制御部１０によってスイッチ１５が電源Ｖｃ側（図４に示すものと反対側）に切り替えられ、オペアンプＯＰ１への制御信号Ｖｏｐの入力が行われなくなることから、ＡＧＣ回路３０におけるＲＦ信号のレベルの自動利得調整機能が解除される。ここで、入力端子１１に入力されたＲＦ信号は、可変抵抗Ｒ７の抵抗値によって決定される利得で調整され、出力端子１２に出力される。従って、ユーザがこの可変抵抗Ｒ７の抵抗値を図示しないボリューム等で任意に変更することで、利得を最適化することができる。
【００４３】
（実施の形態３の効果）
これまで説明したように実施の形態３によれば、自動利得調整機能を無しにすることが選択された場合に、ＲＦ信号を所定の固定利得で調整するので、光受信機１を利得調整の専門知識を持っているユーザが使用する場合には、利得調整を手動で行うことで、利得調整を最適化することができる。
【００４４】
〔変形例〕
以上、本発明の各実施の形態について説明したが、本発明の具体的な構成及び手段は、特許請求の範囲に記載した各発明の技術的思想の範囲内において、任意に改変及び改良することができる。以下、このような変形例の一部について説明する。
【００４５】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００４６】
（その他の回路構成について）
上述した回路構成は一例であり、公知の技術を用いて任意に変更することができる。図５から７には、変形例に係る光受信機のブロック図を示す。
【００４７】
図５の光受信機４０は、ＣＡＴＶ信号とＢＳ・ＣＳ信号を帯域別にレベル調整するものであり、ＡＧＣ回路４の後段に、セパレータ４１、第１の増幅ライン４２、第２の増幅ライン４３、ミキサー４４、分配器４５、２つの出力端子８を設けて構成されている。第１の増幅ライン４２と第２の増幅ライン４３の各々は、アンプ５、ＧＣ６、アンプ７を備えて構成されている。このような構成において、ＡＧＣ回路４から出力されたＲＦ信号は、セパレータ４１においてＣＡＴＶ信号とＢＳ・ＣＳ信号に周波数分離された後、第１の増幅ライン４２と第２の増幅ライン４３で個別的にレベル調整された後、ミキサー４４にて混合され、分配器４５で分配されて、各出力端子８から出力される。
【００４８】
図６の光受信機５０は、ＡＧＣ回路４の前段のアンプ３を省略したものであり、ＰＤ２から出力されたＲＦ信号をＡＧＣ回路４に直接入力するものである。
【００４９】
図７の光受信機６０は、ＧＣ６を省略すると共に、アンプ７の後段にアッテネータ６１を設けて構成されたものであり、ＲＦ信号のレベルに応じてアッテネータ６１の減衰量を図示しないスイッチを介して手動又は自動で切り替え（例えば、０ｄＢと１５ｄＢに切り替え）、利得を一定値に安定化させるものである。
なお、ＡＧＣ回路の自動制御のオンまたはオフ状態を受信器にて目視確認できる表示手段を備えても良い。図３、４においては  抵抗Ｒ５〜Ｒ７の調整値をあわせて表示しても良い。状態表示は液晶表示部に表示しても良いし、スイッチ１５を手動で切り替えられる例えばディップスイッチ等にした場合には切替スイッチの状態により表示しても良い。自動調整機能のオンオフ状態の履歴を記憶しておいても良い。停電で設定状態が消去されて初期状態にリセットされる事を防ぐため、現在の設定状態を記憶しておき、復電時に停電前の状態に自動設定するようにしても良い。
【００５０】
（各実施の形態や各変形例の相互の適用について）
各実施の形態や各変形例は、その一部を相互に交換してもよい。例えば、実施の形態１において、制御部をＬＡＮや光信号による通信制御にて制御してもよい旨を説明したが、このような制御は、実施の形態２又は実施の形態３においても適用することができる。例えば、実施の形態３においては、ＡＧＣ回路３０における可変抵抗Ｒ７の抵抗値を、ＬＡＮや光信号による通信制御にて制御することで遠隔的に変更してもよい。また、各変形例に示したＡＧＣ回路４に代えて、実施の形態２のＡＧＣ回路２０や実施の形態３のＡＧＣ回路３０を適用してもよい。
付記１に記載の光受信機は、光信号を受信して電気信号に変換する光受信機であって、前記光信号を前記電気信号に変換するフォトダイオードと、前記フォトダイオードから出力された電気信号の利得を自動調整する自動利得調整手段とを備え、前記自動利得調整手段による自動利得調整機能の有無を選択的に切り替え可能とした光受信機である。
付記２に記載の光受信機は、付記１に記載の光受信機において、前記自動利得調整手段は、前記自動利得調整機能を無しにすることが選択された場合に、前記電気信号を利得調整することなく通過させるものである。
付記３に記載の光受信機は、付記１に記載の光受信機において、前記自動利得調整手段は、前記自動利得調整機能を無しにすることが選択された場合に、前記電気信号を所定の固定利得で調整するものである。
付記４に記載の光受信機は、付記１に記載の光受信機において、前記自動利得調整手段は、前記自動利得調整機能を無しにすることが選択された場合に、前記電気信号の利得を手動調整可能とするものである。
付記５に記載の光受信機は、付記１から４のいずれか一項に記載の光受信機において、前記光信号のレベル又は前記電気信号のレベルを所定の閾値と比較し、当該比較結果に応じて、前記自動利得調整機能の有無を切り替える切り替え制御手段を備えたものである。
付記１に記載の光受信機によれば、自動利得調整手段の自動利得調整機能の有無を選択的に切り替えることができる。このため、光受信機を利得調整の専門知識を持っているユーザが使用する場合には、自動利得調整機能をＯＦＦに切り替えた上で利得調整を手動で行うことで、利得調整を最適化することができる。また、光受信機を利得調整の専門知識を持っていないユーザが使用する場合には、自動利得調整機能をＯＮに切り替えて自動利得調整を行うことができる。また、例えば、通常は、自動利得調整機能をＯＮに切り替えた状態で光受信機を設置することで、光受信機の設置時における利得調整の工数を低減し、利得調整を最適化する必要が生じた場合（例えば、光受信機の設置後に、自動利得調整では歪性能を得られないことが判明した場合）にのみ、自動利得調整機能をＯＦＦに切り替えて手動で利得調整を最適化することが可能となる。さらに、これら異なるユーザに向けて同一の仕様の光受信機を提供できるので、光受信機の設計コスト等を低減することが可能となる。
付記２に記載の光受信機によれば、自動利得調整機能を無しにすることが選択された場合に、電気信号を利得調整することなく通過させるので、例えば、光入力レベルが比較的小さい環境下においては、自動利得調整手段が設けられていない光受信機と実質的に同じ状態として、利得調整の最適化を図ることができる。
付記３に記載の光受信機によれば、自動利得調整機能を無しにすることが選択された場合に、電気信号を所定の固定利得で調整するので、例えば、光入力レベルが比較的大きい環境下においては、自動利得調整手段の後段側の増幅器に入力される信号レベルを自動利得調整手段において低減させることで、歪性能が低下することを防止できる。
付記４に記載の光受信機によれば、自動利得調整機能を無しにすることが選択された場合に、電気信号の利得を手動調整可能とするので、光受信機を利得調整の専門知識を持っているユーザが使用する場合には、利得調整を手動で行うことで、利得調整を最適化することができる。
付記５に記載の光受信機によれば、光信号のレベル又は電気信号のレベルを所定の閾値と比較し、当該比較結果に応じて、自動利得調整機能の有無を切り替えるので、利得調整機能を、環境に応じた最適な形態に自動的に変更することが可能となる。
【符号の説明】
【００５１】
１、４０、５０、６０  光受信機
２  ＰＤ
３、５、７  アンプ
４、２０、３０  ＡＧＣ回路
６  ＧＣ
８、１２  出力端子
９  操作部
１０  制御部
１１  入力端子
１３  帰還回路
１４  線路
１５  スイッチ
４１  セパレータ
４２  第１の増幅ライン
４３  第２の増幅ライン
４４  ミキサー
４５  分配器
６１  アッテネータ
ＯＰ１  オペアンプ
Ｔｒ１  トランジスタ
Ｒ１、Ｒ２、Ｒ３、Ｒ４、Ｒ５、Ｒ６  抵抗
Ｒ７  可変抵抗
Ｄ１、Ｄ２  ダイオード
Ｄ３、Ｄ４、Ｄ５  ＰＩＮダイオード
Ｃ１、Ｃ２、Ｃ３、Ｃ４、Ｃ５、Ｃ６  コンデンサ
Ｇ１、Ｇ２、Ｇ３、Ｇ４  接地点
Ｌ１、Ｌ２、Ｌ３  コイル
Ｖｏｐ  制御信号
Ｖｃ  電源
【図１】
0005468413.tif 000002
【図２】
0005468413.tif 000003
【図３】
0005468413.tif 000004
【図４】
0005468413.tif 000005
【図５】
0005468413.tif 000006
【図６】
0005468413.tif 000007
【図７】
0005468413.tif 000008